(57)【要約】【課題】塵芥作業車に装着される上部カバーの取り付けおよび取り外し性の向上を図り、もって塵芥作業車のメンテナンス作業性の向上を図る。【解決手段】上部カバー１０は、硬質材料で形成されると共に、車体の車幅方向両端部に配設されたリンク機構１１を介して塵芥収容箱２および塵芥投入箱３に取り付けられる。リンク機構１１は、相対回転可能に連結された第１および第２のリンク部材１２，１３を有し、第１のリンク部材１２は、一端１２ａが上部カバー１０の前部側に回転可能に連結されると共に、他端１２ｂが塵芥投入箱３の前端上部に回転可能に連結され、第２のリンク部材１３は、一端１３ａが上部カバー１０の後部側に回転可能に連結されると共に、他端１３ｂが塵芥収容箱２の後端上部に回転可能に連結される。【選択図】図３
2011219230.tif 000002
【特許請求の範囲】
【請求項１】
車体上に搭載された塵芥収容箱と、この塵芥収容箱の後部に開閉自在に連結された塵芥投入箱と、前記塵芥収容箱および前記塵芥投入箱の連結部分上部間に跨って設けられ、該連結部分上部間を被覆する上部カバーとを備えた塵芥収集車において、
前記上部カバーは、硬質材料で形成されると共に、前記車体の車幅方向両端部に配設された一対のリンク機構を介して前記塵芥収容箱および前記塵芥投入箱に取り付けられ、
前記各リンク機構は、相対回転可能に連結された第１および第２のリンク部材を有し、
前記第１のリンク部材は、一端が前記上部カバーの前部側に回転可能に連結されると共に、他端が前記塵芥投入箱の前端上部に回転可能に連結され、前記第２のリンク部材は、一端が前記上部カバーの後部側に回転可能に連結されると共に、他端が前記塵芥収容箱の後端上部に回転可能に連結されていることを特徴とする塵芥収集車。
【請求項２】
前記各リンク機構は、前記第１および第２のリンク部材の一端が回転可能に連結される第３のリンク部材をさらに有し、
前記上部カバーは、その外側から内側に挿通させたボルト部材を介して前記第３のリンク部材に取り付け固定されていることを特徴とする請求項１に記載の塵芥収集車。
【請求項３】
前記上部カバーは、前後方向および車幅方向の中間部が上方に膨出した凸球状に形成されていることを特徴とする請求項１又は２に記載の塵芥収集車。
【発明の詳細な説明】
【技術分野】
【０００１】
本発明は、塵芥収集車に関し、詳しくは、塵芥収容箱とこの後部に開閉自在に連結された塵芥投入箱との間に跨って設けられ、両者の連結部分上部間を被覆する上部カバーを備えた塵芥収集車の改良に関する。
【背景技術】
【０００２】
塵芥収集車は、車体と、車体に搭載され、後部が開口した塵芥収容箱と、塵芥収容箱の後部に開閉自在に連結された塵芥投入箱と、塵芥投入箱の内部に装備された塵芥積込装置とを主体とし、塵芥投入箱に投入された塵芥を塵芥積込装置によって塵芥収容箱内に積み込んで収容するように構成されている。この種の塵芥収集車は、塵芥の積み込み方式（塵芥積込装置の構成）によって、主に回転式とプレス式とに大別される。
【０００３】
回転式又はプレス式に関わらず、この種の塵芥収集車においては、通常、塵芥収容箱と塵芥投入箱との連結部分上部間に跨って上部カバーが配設されている。上部カバーは、塵芥投入箱の開閉動作に連動して動作するように構成され、塵芥投入箱の開閉動作を許容しつつ、塵芥収容箱と塵芥投入箱との連結部分上部間に形成される構造的な隙間から、塵芥収容箱内に雨水が侵入するのを可及的に防止する。かかる機能を奏する上部カバーとしては、例えば、特許文献１に開示された柔軟性を有するキャンバスシートや、特許文献２に開示された硬質材料で形成されたいわゆるハードカバーが公知であるが、上部カバーとしてキャンバスシートを用いると塵芥収集車の全体的な意匠感を損なうという問題等があることから、近時においては、ハードカバーを採用することが検討され、あるいは実際に採用されている。
【０００４】
特許文献２に開示された上部カバーは、その後部が塵芥投入箱の前端上部にロッドを介して連結されると共に、その前部が車幅方向に沿って所定間隔で複数設けたヒンジを介して塵芥収容箱の後端上部に回動自在に支持（連結）されることにより、塵芥投入箱の動作に連動して回動するように構成されている。
【先行技術文献】
【特許文献】
【０００５】
【特許文献１】実開平１−７８６０４号公報
【特許文献２】特開２００５−３３００７５号公報
【発明の概要】
【発明が解決しようとする課題】
【０００６】
しかしながら、特許文献２に開示された塵芥収集車においては、上部カバーが、その後部がロッドを介して塵芥投入箱の上部に連結されると共に、その前部が車幅方向に沿って複数設けられたヒンジを介して塵芥収容箱に支持（連結）されることから、上部カバーの取り付け、さらには取り外しに多大な手間を要するという問題がある。そのため、例えば上部カバーを取り外して、車体（塵芥収容箱）から塵芥投入箱に至って延びる油圧配管等のメンテナンスを行う際の作業性が悪いという問題が指摘されている。
【０００７】
本発明の主な課題は、塵芥作業車に装着される上部カバーの取り付けおよび取り外し性の向上を図り、もって塵芥作業車のメンテナンス性の向上を図ることにある。
【課題を解決するための手段】
【０００８】
上記の課題を解決するために創案された本発明に係る塵芥収集車は、車体上に搭載された塵芥収容箱と、この塵芥収容箱の後部に開閉自在に連結された塵芥投入箱と、塵芥収容箱および塵芥投入箱の連結部分上部間に跨って設けられ、連結部分上部間を被覆する上部カバーとを備えたものにおいて、上部カバーは、硬質材料で形成されると共に、車体の車幅方向両端部に夫々配設された一対のリンク機構を介して塵芥収容箱および塵芥投入箱に取り付けられ、各リンク機構は、相対回転可能に連結された第１および第２のリンク部材を有し、第１のリンク部材は、一端が上部カバーの前部側に回転可能に連結されると共に、他端が塵芥投入箱の前部上端に回転可能に連結され、第２のリンク部材は、一端が上部カバーの後部側に回転可能に連結されると共に、他端が塵芥収容箱の後端上部に回転可能に連結されていることを特徴とする。
【０００９】
上記のように、本発明に係る塵芥収集車は、上部カバーが、相対回転可能に連結された第１および第２のリンク部材を有するリンク機構を介して塵芥収容箱および塵芥投入箱に取り付けられている。かかる構成のリンク機構は、一組のアセンブリとして取り扱うことができることから、特許文献２に開示された上部カバーの連結機構（駆動機構）に比べて、上部カバーの取り付けおよび取り外しを容易化することができる。これにより、上部カバーを取り外し、車体（塵芥収容箱）から塵芥投入箱に至って延びる油圧配管等のメンテナンスを行う必要が生じた際にも、その作業性向上を図ることができる。また、上部カバーが、硬質材料で形成されたいわゆるハードカバーであることから、雨水の侵入防止効果を長期間に亘って安定的に維持することができ、しかも、塵芥収集車全体としての意匠性向上（塵芥収集車の外観デザイン向上）も図られる。
【００１０】
上記の構成において、各リンク機構は、第１および第２のリンク部材の一端が回転可能に連結される第３のリンク部材をさらに有し、上部カバーは、その外側から内側に挿通させたボルト部材を介して第３のリンク部材に取り付け固定することができる。このような構成によれば、上部カバーをリンク機構にボルト固定するだけで上部カバーを回動自在に取り付けることができる。一方、（外部に露出した）ボルト部材を取り外し、リンク機構から上部カバーを分離するだけで油圧配管等を外部に露出させることができるので、油圧配管等のメンテナンスに際してリンク機構を車体側から取り外す必要がなくなる。従って、上部カバーの取り外しおよび再取り付けを含む一連のメンテナンス作業を迅速かつ容易に行うことができる。
【００１１】
上部カバーは、その前後方向および車幅方向の中間部が上方に膨出した凸球状に形成することができる。このような構成によれば、上部カバーに雨水が溜まるのを可及的に防止することができることに加え、上部カバーの強度向上を図ることができる。
【００１２】
以上に示す本発明の構成は、塵芥の収容方式を問わず（回転式やプレス式等を問わず）採用することができる。
【発明の効果】
【００１３】
上記したように、本発明によれば、塵芥作業車に装着される上部カバーの取り付けおよび取り外し性の向上を図り、もって塵芥作業車のメンテナンス作業性の向上が図られる。
【図面の簡単な説明】
【００１４】
【図１】本発明に係る塵芥収集車の後方部分の左側面図であり、塵芥投入箱の全閉状態を示す図である。
【図２】本発明に係る塵芥収集車の後方部分の左側面図であり、塵芥投入箱の全開状態を示す図である。
【図３】図１の要部拡大図である。
【図４】図１に示す塵芥収集車の左側方に配設されたリンク機構を後方側から見たときの部分拡大正面図である。
【図５】図２の要部拡大図である。
【発明を実施するための形態】
【００１５】
以下、本発明の実施の形態を図面に基づいて説明する。
【００１６】
図１および図２は、本発明に係る塵芥収集車１の後方部分の側面図である。この塵芥収集車１は、車体に搭載され、後部が開口した塵芥収容箱２と、塵芥収容箱２の後部に開閉自在に連結された塵芥投入箱３とを備える。塵芥投入箱３の内部には、塵芥投入箱３に投入された塵芥を塵芥収容箱２内に積み込むための塵芥積込装置が装備されている。塵芥積込装置としては、例えば、揺動自在な押込板、およびこの押込板の下方に位置する回転自在な回転板を主要部として構成されるいわゆる回転式の他、昇降自在のパッカープレート、およびこのパッカープレートの下端部に揺動自在に設けられたプレスプレートを主要部として構成されるいわゆるプレス式が採用される。
【００１７】
塵芥投入箱３は、塵芥収容箱２の後部上方に設けられた車幅方向に延びる固定支軸４を介して塵芥収容箱２の後部に開閉自在に連結される。塵芥収容箱２の後部の車幅方向両端部には一対のリフトシリンダ５，５が配設され、各リフトシリンダ５は、その一端部５ａが塵芥収容箱２の後部に回転可能に連結されると共に、その他端部５ｂがブラケット６を介して塵芥投入箱３に回転可能に連結されている。リフトシリンダ５は、全縮状態において、前方側が後方側よりも上方に位置した傾倒姿勢でもって一端部５ａ及び他端部５ｂが塵芥収容箱２及び塵芥投入箱３のブラケット６に夫々連結されている。かかる構成から、図２に示すように、一対のリフトシリンダ５，５が全縮状態から伸長動作すると、塵芥投入箱３は塵芥収容箱２から離反する方向に回転し、塵芥収容箱２の後部開口を開放する。一方、リフトシリンダ５，５が全伸長状態から短縮動作すると、塵芥投入箱３は塵芥収容箱２に接近する方向に回転し、塵芥収容箱２の後部開口を閉塞する。
【００１８】
塵芥収容箱２に収容された塵芥の排出作業は、リフトシリンダ５，５を伸長動作させて（塵芥投入箱３を開動作させて）塵芥収容箱２の後部開口を開放させた状態で、塵芥収容箱２の内部に装備された図示外の排出板を後方まで移動させることにより、あるいは、塵芥収容箱２の後部開口を開放させると共に、塵芥収容箱２の前部を持ち上げて前部側を後部側よりも上方に位置させた傾倒姿勢とすることにより行われる。
【００１９】
塵芥収集車１には、塵芥収容箱２と塵芥投入箱３との接合部分上部間に跨って上部カバー１０が設けられている。この上部カバー１０は、塵芥投入箱３の開閉動作と連動して動作するように構成され、塵芥投入箱３の開閉動作を許容しつつ、（塵芥投入箱３の全閉時に）塵芥収容箱２と塵芥投入箱３との連結部分上部間に形成される構造的な隙間Ｇを被覆し、隙間Ｇを介しての塵芥収容箱２内への雨水の侵入等を可及的に防止する役割を担う（図３を参照）。上部カバー１０は、その全体が硬質材料、例えば硬質プラスチックや金属材料、あるいは両者の組み合わせで形成されたいわゆるハードカバーである。この上部カバー１０の蓋部（上記の連結部分上部間に形成される隙間Ｇを被覆する部分）は、図３〜図５に示すように、その前後方向および車幅方向の中間部が上方に膨出した凸球状に形成されている。
【００２０】
上部カバー１０は、車体の車幅方向の両端部に夫々配設された一対のリンク機構１１，１１を介して塵芥収容箱２および塵芥投入箱３に取り付けられることにより、塵芥投入箱３の開閉動作に連動して動作する。各リンク機構１１は、一端１２ａが上部カバー１０の前部側に回転可能に連結されると共に、他端１２ｂが塵芥投入箱３の前端上部に回転可能に連結された第１のリンク部材１２と、一端１３ａが上部カバー１０の後部側に回転可能に連結されると共に、他端１３ｂが塵芥収容箱２の後端上部に回転可能に連結された第２のリンク部材１３と、第１および第２のリンク部材１２，１３を相対回転可能に連結する枢支ピン１６とを備える。第１および第２のリンク部材１２，１３は、長手方向の所定部位で屈曲しており、リフトシリンダ５の全縮状態（塵芥投入箱３の全閉状態）ではその一部が上部カバー１０内に収容される。このとき、上部カバー１０は、塵芥収容箱２および塵芥投入箱３の上部に近接状態で配設されて上記の隙間Ｇを被覆する。
【００２１】
リンク機構１１は、さらに、第１および第２のリンク部材１２，１３の一端１２ａ，１３ａを、前部側および後部側に回転可能に夫々連結した第３のリンク部材１４を有し、上部カバー１０は、外側（上側）から内側（下側）に挿通させたボルト部材１８を介して第３のリンク部材１４に取り付け固定されている（図４を参照）。第３のリンク部材１４は、下方が開口した断面コの字状（凹字状）を呈し、その上部裏面に、ボルト部材１８を螺着するためのナット部が設けられている。この第３のリンク部材１４の車幅方向内側の側部の前部側には、長手方向（前後方向）に沿って延びた長孔１５が設けられ、第１のリンク部材１２の一端１２ａは、この長孔１５に対して回転およびスライド移動可能に連結されている。また、第２のリンク部材１３の一端１３ａは、第３のリンク部材１４の車幅方向外側の側部の後部側に回転可能に連結されている。以上の構成を具備する本実施形態に係る各リンク機構１１は、第１〜第３のリンク部材１２〜１４を相対回転可能に連結してなる一組のアセンブリとして取り扱われる。
【００２２】
以上の構成から、リフトシリンダ５が伸長動作し、塵芥投入箱３が固定支軸４回りに塵芥収容箱２から離反する方向に回転すると、これに連動してリンク機構１１を構成する第１および第２のリンク部材１２，１３、ひいては上部カバー１０が回転する（図５を参照）。従って、上部カバー１０は、塵芥投入箱３の開閉動作を許容しつつ、塵芥投入箱３の全閉時においては塵芥収容箱２と塵芥投入箱３との連結部分上部間に形成される隙間Ｇを被覆して、隙間Ｇを介しての塵芥収容箱２への雨水の侵入を可及的に防止する。
【００２３】
以上に示すように、本発明に係る塵芥収集車１は、上部カバー１０が、相対回転可能に連結された第１および第２のリンク部材１２，１３を有するリンク機構１１を介して塵芥収容箱２および塵芥投入箱３に取り付けられている。リンク機構１１は、一組のアセンブリとして取り扱うことができることから、特許文献２に開示された上部カバーの連結機構（駆動機構）に比べて、上部カバー１０の取り付けおよび取り外しを容易化することができる。これにより、上部カバー１０を取り外してメンテナンス作業を行う必要が生じた際にも、その作業性向上を図ることができる。また、上部カバー１０が、硬質材料で形成されたいわゆるハードカバーであることから、雨水の侵入防止効果を長期間に亘って安定的に維持することができ、しかも、塵芥収集車１全体としての意匠性向上（塵芥収集車１の外観デザイン向上）も図られる。
【００２４】
また、各リンク機構１１は、第１および第２のリンク部材１２，１３の一端１２ａ，１３ａが回転可能に連結された第３のリンク部材１４をさらに有し、上部カバー１０は、外側から内側に挿通させたボルト部材１８を介して第３のリンク部材１３に取り付け固定される。このような構成によれば、上部カバー１０をリンク機構１１（第３のリンク部材１４）にボルト固定するだけで上部カバー１０の取り付けを完了することができる。一方、外部に露出したボルト部材１８を取り外し、リンク機構１１から上部カバー１０を分離するだけで油圧配管等を外部に露出させることができるので、油圧配管等のメンテナンスに際してリンク機構１１を車体側から取り外す必要がなくなる。従って、上部カバー１０の取り外しおよび再取り付けを含む一連のメンテナンス作業を迅速かつ容易に行うことができる。
【００２５】
さらに、上部カバー１０（の被覆部）は、前後方向および車幅方向の中間部が上方に膨出した凸球状に形成されることから、上部カバー１０に雨水が溜まるのを可及的に防止することができることに加え、上部カバー１０の強度向上を図ることができる。
【００２６】
以上、本発明の一実施形態に係る塵芥収集車１について説明を行ったが、塵芥収集車１には本発明の要旨を逸脱しない範囲で種々の変更を施すことができる。例えば、上記の実施形態で用いたリンク機構１１は、これを構成する第１および第２のリンク部材１２，１３が共に長手方向の所定部位で屈曲したものであるが、両リンク部材１２，１３の何れか一方又は双方を直線状のもので構成することもできる。
【符号の説明】
【００２７】
１      塵芥収集車
２      塵芥収容箱
３      塵芥投入箱
１０    上部カバー
１１    リンク機構
１２    第１のリンク部材
１２ａ  一端
１２ｂ  他端
１３    第２のリンク部材
１３ａ  一端
１３ｂ  他端
１４    第３のリンク部材
１８    ボルト部材
Ｇ      隙間
【図１】
2011219230.tif 000003
【図２】
2011219230.tif 000004
【図３】
2011219230.tif 000005
【図４】
2011219230.tif 000006
【図５】
2011219230.tif 000007